(57)【要約】  機種毎に所望の傾斜角度を容易に設定することができ、製品の外観品位を下げることなく、表示部の保持体、及びスタンドの取付構造の共通化を図ることができる表示装置、及び該表示装置を備えるテレビジョン受信機を提供する。  映像を表示する表示パネルを含む表示部を保持するシャーシ７と、シャーシ７を支持するスタンド６と、スタンド６をシャーシ７に取り付けるための取付具８とを備える。取付具８はネジ挿通孔を有し、シャーシ７は、雌ネジを有する孔と、該孔に周設した台座とを備えるネジ止め部７１を有する。ネジ止め部７１の高さはシャーシ７の縦方向で異なる。
2015186603.tif 000002
【特許請求の範囲】
【請求項１】
映像を表示する表示パネルを含む表示部と、該表示部を保持する保持体と、該保持体を支持するスタンドと、該スタンドを前記保持体に取り付けるための取付具と、該取付具及び前記保持体間に介在し、前記取付具を前記保持体に固定する複数の固定部とを備える表示装置において、
少なくとも一部の固定部は、前記取付具を前記保持体に固定したときに、前記取付具に対し前記保持体が所定角度をなすことを特徴とする表示装置。
【請求項２】
前記固定部の、前記取付具及び前記保持体が対向する方向の長さが異なることを特徴とする請求項１に記載の表示装置。
【請求項３】
前記固定部は、前記表示部の縦方向に複数並設され、
前記長さは、固定部間で漸次的に変化することを特徴とする請求項２に記載の表示装置。
【請求項４】
前記固定部は、前記表示部の横方向に複数並設され、
前記固定部の縦方向の長さの差異の度合が、前記横方向で異なることを特徴とする請求項３に記載の表示装置。
【請求項５】
前記固定部は、前記保持体に設けてあり、
各固定部は、雌ネジを有する孔と、該孔に周設した台座とを有し、該台座の高さが少なくとも一部の固定部で異なり、
前記取付具は、ネジを挿通して、前記雌ネジに螺合するためのネジ挿通孔を有することを特徴とする請求項２から４までのいずれか１項に記載の表示装置。
【請求項６】
前記固定部は、前記保持体に設けてあり、
各固定部は、ピンと、該ピンに周設した台座とを有し、該台座の高さが少なくとも一部の固定部で異なり、
前記取付具は、前記ピンを挿通して位置決めするピン挿通孔を有することを特徴とする請求項２から５までのいずれか１項に記載の表示装置。
【請求項７】
前記固定部は、前記取付具に設けてあり、
各固定部は、ネジ挿通孔と、該ネジ挿通孔に周設した台座とを有し、該台座の高さが少なくとも一部の固定部で異なり、
前記保持体に、前記ネジ挿通孔を挿通したネジを螺合する雌ネジを設けてあることを特徴とする請求項２又は３に記載の表示装置。
【請求項８】
請求項１から７までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、映像を表示する表示パネルを含む表示部、表示部を保持する保持体、保持体を支持するスタンド、及びスタンドを保持体に取り付けるための取付具を備える表示装置、並びに該表示装置を備えるテレビジョン受信機に関する。
【背景技術】
【０００２】
例えば液晶テレビジョン受信機等のテレビジョン受信機（以下、ＴＶ受信機という）は、正面側で映像を表示する表示パネル、及び表示パネルに光を照射するバックライトを有する表示モジュール（表示部）と、表示モジュールを挟むようにして収容する合成樹脂製のフロントキャビネット及びリアキャビネットと、スタンドとを備える。表示モジュールは、全体として横長の略直方体状をなし、縦姿勢でフロントキャビネット及びリアキャビネットに収容されている。【０００３】
スタンドは、足部と、足部から延出した支持軸とを備える。バックライトを収容したシャーシに、取付具を用いて支持軸が固定されることにより、シャーシがスタンドに支持される。
取付具の一例として、例えば断面がコの字状をなす本体と、該本体の両縁部に設けられ、細長い矩形状をなす当接板部とを有するものがある。当接板部にはネジ挿通孔が設けられている。シャーシには、雌ネジを有する孔と、該孔に周設した台座とからなるネジ止め部が設けられており、前記ネジ挿通孔を前記雌ネジに合わせた状態で、前記当接板部をシャーシに当接させ、ネジを挿通して前記雌ネジに螺合することにより、取付具がシャーシに取り付けられるように構成されている。【０００４】
近年、ＴＶ受信機においては、コストダウンのために、シャーシ及び取付具が共通化されていることが多い。
この場合、シャーシの横方向の複数箇所に例えば前記取付具を設けることができるようにし、すなわちシャーシの横方向に、複数の前記ネジ止め部を設けておき、機種毎で異なる位置にスタンドを取り付けることで、同一のシャーシ及び取付具を用いつつ、製品のバリエーションを広げている。【０００５】
しかし、スタンドが異なり、例えばスタンドの支持軸の傾き等が異なる場合、シャーシに一律に前記ネジ止め部を設けたとき、スタンドの取付後、ＴＶ受信機によって表示モジュールの傾きが異なることになり、製品の外観品位が悪くなるという問題があった。
このため、機種が異なる場合においても表示モジュールの傾きを同様に    できる技術が求められていた。【０００６】
同一の表示モジュールの傾斜角度を変える構造として、特許文献１のＴＶ受信機の構造が挙げられる。このＴＶ受信機においては、リアキャビネットの背面の下端部に取付部を有する。スタンドは、板状の基部と、該取付部を当接する当接面を有し、該当接面に取付部を当接することで基部に対する表示モジュールの位置を固定する固定部と、基部に設けられ、フロントキャビネットの下面と基部との間に介在されて表示モジュールを傾斜した状態で支持する角度調整部とを有する。このＴＶ受信機においては、角度調整部の高さ（フロントキャビネットの下面と基部との間の間隔）を変えることで、表示モジュールの傾斜角度を変えている。しかし、ＴＶ受信機毎に所望の傾斜角度を得るために、所定の傾斜角度を有する当接面を有する固定部、及び所定の高さを有する角度調整部を備えるスタンドを用意する必要があり、傾斜角度の設定方法が煩雑であるという問題があった。
【先行技術文献】
【特許文献】
【０００７】
【特許文献１】特開２０１３−７８１３１号公報
【発明の概要】
【発明が解決しようとする課題】
【０００８】
本発明は斯かる事情に鑑みてなされたものであり、機種毎に所望の傾斜角度を容易に設定することができ、製品の外観品位を下げることなく、表示部の保持体、及びスタンドの取付構造の共通化を図ることができる表示装置、及び該表示装置を備えるＴＶ受信機を提供することを目的とする。
【課題を解決するための手段】
【０００９】
本発明に係る表示装置は、映像を表示する表示パネルを含む表示部と、該表示部を保持する保持体と、該保持体を支持するスタンドと、該スタンドを前記保持体に取り付けるための取付具と、該取付具及び前記保持体間に介在し、前記取付具を前記保持体に固定する複数の固定部とを備える表示装置において、少なくとも一部の固定部は、前記取付具を前記保持体に固定したときに、前記取付具に対し前記保持体が所定角度をなすことを特徴とする。【００１０】
本発明に係る表示装置は、前記固定部の、前記取付具及び前記保持体が対向する方向の長さが異なることを特徴とする。【００１１】
本発明に係る表示装置は、前記固定部は、前記表示部の縦方向に複数並設され、前記長さは、固定部間で漸次的に変化することを特徴とする。【００１２】
本発明に係る表示装置は、前記固定部は、前記表示部の横方向に複数並設され、前記固定部の縦方向の長さの差異の度合が、前記横方向で異なることを特徴とする。【００１３】
本発明に係る表示装置は、前記固定部は、前記保持体に設けてあり、各固定部は、雌ネジを有する孔と、該孔に周設した台座とを有し、該台座の高さが少なくとも一部の固定部で異なり、前記取付具は、ネジを挿通して、前記雌ネジに螺合するためのネジ挿通孔を有することを特徴とする。【００１４】
本発明に係る表示装置は、前記固定部は、前記保持体に設けてあり、各固定部は、ピンと、該ピンに周設した台座とを有し、該台座の高さが少なくとも一部の固定部で異なり、前記取付具は、前記ピンを挿通して位置決めするピン挿通孔を有することを特徴とする。【００１５】
本発明に係る表示装置は、前記固定部は、前記取付具に設けてあり、各固定部は、ネジ挿通孔と、該ネジ挿通孔に周設した台座とを有し、該台座の高さが少なくとも一部の固定部で異なり、前記保持体に、前記ネジ挿通孔を挿通したネジを螺合する雌ネジを設けてあることを特徴とする。【００１６】
本発明に係るテレビジョン受信機は、上述のいずれかの表示装置と、テレビジョン放送を受信する受信部とを備え、前記受信部にて受信したテレビジョン放送に基づいて、前記表示装置に映像を表示するようにしてあることを特徴とする。
【発明の効果】
【００１７】
本発明の表示装置によれば、スタンドを表示部の保持体に取り付けるための取付具と、取付具及び前記保持体間に介在し、取付具を保持体に固定する複数の固定部とを備え、少なくとも一部の固定部の、取付具及び保持体が対向する方向の長さが異なるように構成されているので、機種毎に所望の傾斜角度を容易に設定することができ、表示部の保持体、及びスタンドの取付構造の共通化を図ることができる。そして、表示装置の外観品位が良好である。
【図面の簡単な説明】
【００１８】
【図１】本発明の実施の形態１に係るＴＶ受信機の外観斜視図である。
【図２】ＴＶ受信機を裏側から見た状態を示す斜視図である。
【図３】ＴＶ受信機のリアキャビネットを外した状態を示す背面図である。
【図４】図３の左下部分の拡大図である。
【図５】ＴＶ受信機のリアキャビネットを外した状態を示す斜視図である。
【図６】図５で取付具を外した状態を示す斜視図である。
【図７】図６の左下部分の拡大図である。
【図８Ａ】ネジ止め部の高さを変えることでシャーシの傾斜角度を調整する方法を説明するための図である。
【図８Ｂ】ネジ止め部の高さを変えることでシャーシの傾斜角度を調整する方法を説明するための図である。
【図９】同一のシャーシについて異なるスタンドを用いて、シャーシの傾斜角度を調整する方法を説明するための図である。
【図１０Ａ】本発明の実施の形態２に係るピン止め部の高さを変えることでシャーシの傾斜角度を調整する方法を説明するための図である。
【図１０Ｂ】本発明の実施の形態２に係るピン止め部の高さを変えることでシャーシの傾斜角度を調整する方法を説明するための図である。
【図１１】本発明の実施の形態３に係る取付具を裏側から見た状態を示す斜視図である。
【図１２Ａ】台座の高さを変えることでシャーシの傾斜角度を調整する方法を説明するための図である。
【図１２Ｂ】台座の高さを変えることでシャーシの傾斜角度を調整する方法を説明するための図である。
【図１３】本発明の実施の形態４に係る取付具を裏側から見た状態を示す斜視図である。
【図１４Ａ】台座の高さを変えることでシャーシの傾斜角度を調整する方法を説明するための図である。
【図１４Ｂ】台座の高さを変えることでシャーシの傾斜角度を調整する方法を説明するための図である。
【図１５】本発明の実施の形態５に係るシャーシの底面の下側の部分を傾斜させることで、シャーシの傾斜角度を調整する方法を説明するための図である。
【図１６】本発明の実施の形態６に係る取付具の高さを変えることで、シャーシの傾斜角度を調整する方法を説明するための図である。
【発明を実施するための形態】
【００１９】
以下、本発明をその実施の形態を示す図面に基づいて具体的に説明する。
実施の形態１．
図１は本発明に係るテレビジョン受信機（ＴＶ受信機）１の外観斜視図、図２はＴＶ受信機１を裏側から見た状態を示す斜視図、図３はＴＶ受信機１のリアキャビネットを外した状態を示す背面図、図４は図３の左下部分の拡大図、図５はＴＶ受信機１のリアキャビネットを外した状態を示す斜視図、図６は図５で取付具を外した状態を示す斜視図、図７は図６の左下部分の拡大図である。
【００２０】
ＴＶ受信機１は、表示パネル２１及びバックライト２２を有する表示モジュール２と、該表示モジュール２を挟むようにして収容する合成樹脂製のフロントキャビネット３及びリアキャビネット４と、複数のスピーカを内蔵したスピーカボックス５と、２つのスタンド６と、アンテナ（不図示）から放送波を受信するチューナ１１と、符号化された放送波を復号するデコーダ１２とを備える。表示モジュール２は、全体として横長の略直方体状をなし、縦姿勢でフロントキャビネット３及びリアキャビネット４内に収容されている。
【００２１】
フロントキャビネット３は、矩形枠状をなす。
リアキャビネット４は、表示モジュール２の側面及び背面を覆うように箱状をなしている。リアキャビネット４には、複数の放熱スリット４１が設けられている。
【００２２】
スタンド６は、足部６２と、足部６２から上側に延出した支持軸６１とを備える。そして、支持軸６１には上下に２箇所、雌ネジ６３，６３が設けられている（図４参照）。
【００２３】
表示モジュール２のバックライト２２は、光学シート、導光板、及びＬＥＤ基板（以上、不図示）を有する。
バックライト２２は、表示パネル２１側が開口された略箱状をなすシャーシ７に収容されている。
【００２４】
導光板は矩形板状をなし、表示パネル２１側に対向する主面と、主面の反対面でシャーシ７に対向する裏面と、一対の長側面と、一対の短側面とを有する。バックライト２２がエッジライト方式である場合、一方の長側面が、導光板内に光を導入するための光入射面として機能し、該長側面から導光板内へ導入された光は、導光板の主面から表示パネル２１側に向かって出射する。
光学シートは、拡散シート、レンズシート及びＤＢＥＦシート（反射型偏光シート）等を含むシート群であり、導光板の主面上に載置されている。そして、この光学シートによって、導光板の主面から出射された光の拡散及び集光等が行われる。
ＬＥＤ基板は、導光板内へ導入する光を生成するためのものであり、導光板の長側面側に配されている。ＬＥＤ基板の基板本体の平面に、複数のＬＥＤが実装されている。ＬＥＤ基板は、導光板の主面の長辺に沿って延び、複数のＬＥＤが導光板の長側面と対向するように配される。
表示パネル２１は、液晶層と、一対のガラス基板と、偏光板とを有する。一対のガラス基板はシール材を挟んで互いに貼り合わされており、その間に液晶層が封入されている。そして、偏光板は、一対のガラス基板の液晶層側とは反対側の面上にそれぞれ配されている。
【００２５】
図３に示すように、シャーシ７の裏面の中央部には、前記チューナ１１、デコーダ１２、及びＣＰＵ等を備えるメイン基板２５が設けられ、メイン基板２５に隣接して、アンテナ入力端子、ＵＳＢ（登録商標）端子、ヘッドホン端子、及びＢ−ＣＡＳカード挿入口等を有する端子パネル２６が設けられている。
そして、シャーシ７の下側の長辺部分に、取付具８，８が設けられている。なお、図３において、シャーシ７の下側の長辺部分に沿って複数の取付具８，８，…が設けられた状態を示しているが、これは、後述するシャーシ７のネジ止め部７１の列に対応して、所望の位置に取付具８を取り付けることができることを示したものであり、実際の製品には２つの取付具８が取り付けられている。
【００２６】
取付具８は金属製であり、図４及び図５に示すように、断面がコの字状をなし、シャーシ７の縦方向に延びる挿通部８７と、挿通部８７の幅方向の両縁部に設けられ、細長い矩形状をなす当接板部８０，８０とを有する。そして、挿通部８７の中央部には、上下に２箇所、ネジ挿通孔８６，８６が設けられている。
一方の当接板部８０には、上から順に、ネジ挿通孔８１、ピン挿通孔８２、ネジ挿通孔８１、ピン挿通孔８２、及びネジ挿通孔８１が設けられている。取付具８の他方の当接板部８０には、上から順に、ネジ挿通孔８１、ネジ挿通孔８１、及びネジ挿通孔８１が設けられている。
【００２７】
図７に示すように、前記一方の当接板部８０のネジ挿通孔８１、ピン挿通孔８２、ネジ挿通孔８１、ピン挿通孔８２、ネジ挿通孔８１に対応して、シャーシ７の下部の左端部分には、上から順に、ネジ止め部７１、ピン止め部７２、ネジ止め部７１、ピン止め部７２、及びネジ止め部７１が設けられている。
ネジ止め部７１は、雌ネジを有する孔７１１と、該孔７１１に周設した円板状の台座７１２とを有する。
ピン止め部７２は、ピン７２１と、該ピン７２１に周設した円板状の台座７２２とを有する。
【００２８】
このネジ止め部７１を含む列に隣接し、前記他方の当接板部８０のネジ挿通孔８１、ネジ挿通孔８１、ネジ挿通孔８１に対応して、上から順に、一列のネジ止め部７１、ネジ止め部７１、及びネジ止め部７１が設けられている。
シャーシ７には、ネジ止め部７１、ピン止め部７２、ネジ止め部７１、ピン止め部７２、ネジ止め部７１の列と、ネジ止め部７１、ネジ止め部７１、ネジ止め部７１の列とからなる組が複数組、シャーシ７の横方向に並設されている。
【００２９】
図４に示すように、前記一方の当接板部８０が、シャーシ７の最左端のネジ止め部７１の列の上に、各ピン７２１が各ピン挿通孔８２を挿通する状態で配され、各ネジ８４が各ネジ挿通孔８１に挿通されて、各孔７１１の各雌ネジに螺合されている。前記他方の当接板部８０はシャーシ７の左から２列目のネジ止め部７１の列の上に配され、各ネジ８４が各ネジ挿通孔８１に挿通されて、各孔７１１の各雌ネジに螺合されている。これにより、取付具８はシャーシ７に固定されている。
【００３０】
最左端の取付具８に隣接して、上記と同様にして他の取付具８が固定されている。この取付具８においては、挿通部８７にスタンド６の支持軸６１が挿通され、ネジ挿通孔８６に雌ネジ６３が合わされた状態で、リアキャビネット４の外側からネジがネジ挿通孔８６を挿通して雌ネジ６３に螺合される。これにより、スタンド６がシャーシ７に固定される。
【００３１】
本実施の形態においては、シャーシ７の縦方向及び横方向に設けられている複数のネジ止め部７１の台座７１２の少なくとも一部の高さが異なる。
従って、機種毎に異なるスタンド６を用いる場合に、取付具８の当接板部８０（スタンド６の支持軸６１）とシャーシ７との間でなす角度を所望の角度に設定することができ、シャーシ７（表示モジュール２）の傾斜角度を容易に所望の角度に設定することができる。
【００３２】
図８Ａ及びＢは、ネジ止め部７１の高さを変えることでシャーシ７の傾斜角度を調整する方法を説明するための図である。
図８Ａに示すように、スタンド６の支持軸６１が前傾姿勢である場合、従来例のようにピン止め部７５の高さが同一である場合、シャーシ７も前傾姿勢になる。
本発明の実施の形態においては、ネジ止め部７１の（台座７１２の）高さを、下側のものを上側のものより高くすることで、即ち、縦方向（上下方向）の各台座７１２の高さが上から下へ、漸次的に高くなるように構成することで、シャーシ７の縦方向（短手方向）が足部６２に垂直な方向に略一致している。
支持軸６１が足部６２に垂直な方向に略一致するように設けられている場合においては、ネジ止め部７１の台座７１２の高さを、下側のものを上側のものより高くすることで、即ち、縦方向の各台座７１２の高さが上から下へ、漸次的に高くなるように構成することで、シャーシ７を後傾姿勢にすることができる。
【００３３】
縦方向に並ぶ２つの台座７１２の高さの差異と角度の調整量と関係の一例として、以下のものが挙げられる。
・台座７１２の高さの差異と角度の調整量との関係
台座７１２の高さの差異    角度の調整量
０．５ｍｍ                  ０．４度
１．０ｍｍ                  ０．８度
１．５ｍｍ                  １．２度
台座７１２の間隔は７０ｍｍ程度である。
【００３４】
図８Ｂに示すように、スタンド６の支持軸６１が後傾姿勢である場合、従来例のようにピン止め部７５の高さが同一である場合、シャーシ７も後傾姿勢になる。
本発明の実施の形態においては、ネジ止め部７１の台座７１２の高さを、上側のものを下側のものより高くすることで、即ち、縦方向（上下方向）の各台座７１２の高さが上から下へ、漸次的に低くなるように構成することで、シャーシ７の縦方向が足部６２に垂直な方向に略一致している。
【００３５】
図９は、同一のシャーシ７について異なるスタンド６を用いて、シャーシ７の傾斜角度を調整する方法を説明するための図である。なお、図９において、ネジ止め部７１の縦方向の数は２つにしている。
３つのスタンド６は、２つの支持軸６１，６１の間隔が異なる。図９に示すように、Ｄ、Ｅ、Ｆの順に、支持軸６１，６１の間隔が広くなっている。
上述したように、支持軸６１が足部６２に垂直な方向に略一致するように設けられている場合、ネジ止め部７１の（台座７１２の）高さを、下側のものを上側のものより高くすることで、シャーシ７を後傾姿勢にすることができる。
ネジ止め部７１の台座７１２は、横方向にも複数並設されており、縦方向に並ぶ一組の台座７１２間の高さの差異は、横方向の他の組の台座７１２間の高さの差異と異なり、中央部の差異の方が両端部の差異より大きいものとする。
この場合、Ｆ、Ｅ、Ｄの順に傾斜角度を大きくすることができる。
【００３６】
以上のように、シャーシ７の縦方向で、台座７１２の高さを漸次的に変化させることで、シャーシ７の傾斜角度を変えることができる。
また、シャーシ７の横方向で、上下の台座７１２の高さの差異の度合を変えることにより、同一又は異なる、支持軸６１の傾斜角度を有するスタンド６をシャーシ７の所望の位置に固定し、シャーシ７の傾斜角度を所望の角度に設定することができる。
従って、製品の外観品位を下げることなく、シャーシ７、及びスタンド６の取付構造の共通化を図ることができる。
【００３７】
実施の形態２．
本発明の実施の形態２においては、実施の形態１のようにネジ止め部７１の台座７１２の高さを変えるのではなく、ピン止め部７２の台座７２２の高さを変えることで、シャーシ７の傾斜角度を調整する。
図１０Ａ及びＢは、ピン止め部７２の高さを変えることでシャーシ７の傾斜角度を調整する方法を説明するための図である。
図１０Ａに示すように、スタンド６の支持軸６１が前傾姿勢である場合、下側のピン止め部７２の台座７２２の高さを、上側のものより高くすることで、即ち、縦方向（上下方向）の各台座７２２の高さが上から下へ、漸次的に高くなるように構成することで、シャーシ７の縦方向が足部６２に垂直な方向に略一致している。
支持軸６１が鉛直方向に略一致するように設けられている場合においては、ピン止め部７２の台座７２２の高さを、下側のものを上側のものより高くすることで、即ち、縦方向の各台座７２２の高さが上から下へ、漸次的に高くなるように構成することで、シャーシ７を後傾姿勢にすることができる。
【００３８】
図１０Ｂに示すように、スタンド６の支持軸６１が後傾姿勢である場合、上側のピン止め部７２の台座７２２の高さを、下側のものより高くすることで、即ち、縦方向（上下方向）の各台座７２２の高さが上から下へ、漸次的に低くなるように構成することで、シャーシ７の縦方向が足部６２に垂直な方向に略一致している。
【００３９】
以上のように、シャーシ７の縦方向で、台座７２２の高さを漸次的に変化させることで、シャーシ７の傾斜角度を変えることができる。
そして、シャーシ７の横方向で、上下の台座７２２の高さの差異の度合を変えることで、種々のスタンド６をシャーシ７の所望の位置に固定し、シャーシ７の傾斜角度を所望の角度に設定することができる。
【００４０】
実施の形態３．
本発明の実施の形態３においては、実施の形態１のようにシャーシ７側ではなく、取付具８側でシャーシ７の傾斜角度を調整する。
図１１は、実施の形態３に係る取付具８を裏側から見た状態を示す斜視図である。
図１１に示すように、本実施の形態の取付具８は、両方の当接板部８０に、ネジ挿通孔８１、ピン挿通孔８２、ネジ挿通孔８１、ピン挿通孔８２、及びネジ挿通孔８１が設けられている。そして、ピン挿通孔８２には円板状の台座８２２が周設されている。
【００４１】
図１２Ａ及びＢは、台座８２２の高さを変えることでシャーシ７の傾斜角度を調整する方法を説明するための図である。
図１２Ａに示すように、スタンド６の支持軸６１が前傾姿勢である場合、下側の台座８２２の高さを、上側のものより高くすることで、即ち、縦方向（上下方向）の各台座８２２の高さが上から下へ、漸次的に高くなるように構成することで、シャーシ７の縦方向が足部６２に垂直な方向に略一致している。
支持軸６１が鉛直方向に略一致するように設けられている場合においては、台座８２２の高さを、下側のものを上側のものより高くすることで、シャーシ７を後傾姿勢にすることができる。
【００４２】
図１２Ｂに示すように、スタンド６の支持軸６１が後傾姿勢である場合、上側の台座８２２の高さを、下側のものより高くすることで、即ち、縦方向（上下方向）の各台座８２２の高さが上から下へ、漸次的に低くなるように構成することで、シャーシ７の縦方向が足部６２に垂直な方向に略一致している。
【００４３】
以上のように、取付具８の挿通部８７の長手方向で、台座８２２の高さを変えることで、シャーシ７の傾斜角度を変えることができる。
そして、上下の台座８２２の高さの差異の度合を変えた取付具８を、機種に応じてシャーシ７の所望の位置に固定し、シャーシ７の傾斜角度を変えることができる。
【００４４】
実施の形態４．
本発明の実施の形態４においては、取付具８のピン挿通孔８２側ではなく、ネジ挿通孔８１側でシャーシ７の傾斜角度を調整する。
図１３は、実施の形態４に係る取付具８を裏側から見た状態を示す斜視図である。
図１３に示すように、取付具８の当接板部８０のネジ挿通孔８１には円板状の台座８１２が周設されている。
【００４５】
図１４Ａ及びＢは、台座８１２の高さを変えることでシャーシ７の傾斜角度を調整する方法を説明するための図である。
図１４Ａに示すように、スタンド６の支持軸６１が前傾姿勢である場合、下側の台座８１２の高さを、上側のものより高くすることで、即ち、縦方向（上下方向）の各台座８１２の高さが上から下へ、漸次的に高くなるように構成することで、シャーシ７の縦方向が足部６２に垂直な方向に略一致している。
支持軸６１が鉛直方向に略一致するように設けられている場合においては、台座８１２の高さを、下側のものを上側のものより高くすることで、シャーシ７を後傾姿勢にすることができる。
【００４６】
図１４Ｂに示すように、スタンド６の支持軸６１が後傾姿勢である場合、上側の台座８１２の高さを、下側のものより高くすることで、即ち、縦方向（上下方向）の各台座８１２の高さが上から下へ、漸次的に低くなるように構成することで、シャーシ７の縦方向が足部６２に垂直な方向に略一致している。
【００４７】
以上のように、シャーシ７の縦方向で、台座８１２の高さを漸次的に変化させることで、シャーシ７の傾斜角度を変えることができる。
そして、上下の台座８１２の高さの差異の度合を変えた取付具８を、機種に応じてシャーシ７の所望の位置に固定し、シャーシ７の傾斜角度を変えることができる。
【００４８】
実施の形態５．
本発明の実施の形態５においては、シャーシ７の底面の下側の部分を傾斜させることでシャーシ７の傾斜角度を調整する。
図１５は、シャーシ７の底面の下側の部分を傾斜させることで、シャーシ７の傾斜角度を調整する方法を説明するための図である。
図１５に示すように、スタンド６の支持軸６１が後傾姿勢である場合、シャーシ７の底面の下側の部分が側面視で上から下に幅狭になるように傾斜させることで、シャーシ７の縦方向が足部６２に垂直な方向に略一致している。
【００４９】
以上のように、シャーシ７の幅を変えることで、シャーシ７の傾斜角度を変えることができる。
そして、シャーシ７の横方向で、シャーシ７の傾斜の度合を変えることで、機種に応じて取付具８をシャーシ７の所望の位置に固定し、シャーシ７の傾斜角度を変えることができる。
【００５０】
実施の形態６．
本発明の実施の形態６においては、取付具８８の高さを変えることで、シャーシ７の傾斜角度を調整する。
図１６は、取付具８８の高さを変えることで、シャーシ７の傾斜角度を調整する方法を説明するための図である。
本実施の形態の取付具８８においては、挿通部８７の高さ（挿通部８７の側面視の幅）が、上から下に低くなっている。従って、図１６に示すように、スタンド６の支持軸６１が後傾姿勢である場合、シャーシ７の縦方向が足部６２に垂直な方向に略一致している。
【００５１】
以上のように、挿通部８７の高さを変えることで、シャーシ７の傾斜角度を変えることができる。
そして、挿通部８７の高さの差異の度合を変えた取付具８を、機種に応じてシャーシ７の所望の位置に固定し、シャーシ７の傾斜角度を変えることができる。
【００５２】
以上のように、本発明に係る表示装置（１）は、映像を表示する表示パネル（２１）を含む表示部（２）と、該表示部を保持する保持体（７）と、該保持体を支持するスタンド（６）と、該スタンドを前記保持体に取り付けるための取付具（８）と、該取付具及び前記保持体間に介在し、前記取付具を前記保持体に固定する複数の固定部（７１、７２、８１２、８２２）とを備える表示装置において、少なくとも一部の固定部は、前記取付具を前記保持体に固定したときに、前記取付具に対し前記保持体が所定角度をなすことを特徴とする。
【００５３】
本発明においては、少なくとも一部の固定部が、取付具を保持体に固定したときに、取付具と保持体との間でなす角度を所望の角度に設定することができ、保持体の傾斜角度を所望の値に設定することができる。
従って、製品の外観品位を下げることなく、表示部の保持体、及びスタンドの取付構造の共通化を図ることができる。
【００５４】
本発明に係る表示装置は、前記固定部の、前記取付具及び前記保持体が対向する方向の長さが異なることを特徴とする。
【００５５】
本発明においては、前記固定部の、取付具及び保持体が対向する方向の長さが異なるので、取付具と保持体との間でなす角度を容易に所望の角度に設定することができ、保持体の傾斜角度を所望の値に設定することができる。
【００５６】
本発明に係る表示装置は、前記固定部は、前記表示部の縦方向に複数並設され、前記長さは、固定部間で漸次的に変化することを特徴とする。
【００５７】
本発明においては、表示部の縦方向で固定部の前記長さが漸次的に変化するように構成されているので、容易に保持体の傾斜角度を所望の値に設定することができる。
【００５８】
本発明に係る表示装置は、前記固定部は、前記表示部の横方向に複数並設され、前記固定部の縦方向の長さの差異の度合が、前記横方向で異なることを特徴とする。
【００５９】
本発明においては、同一又は異なる、鉛直方向に対する傾斜角度を有する取付具を保持体の所望の位置に固定し、保持体の傾斜角度を所望の角度に設定することができる。
【００６０】
本発明に係る表示装置は、前記固定部（７１）は、前記保持体に設けてあり、各固定部は、雌ネジを有する孔（７１１）と、該孔に周設した台座（７１２）とを有し、該台座の高さが少なくとも一部の固定部で異なり、前記取付具は、ネジ（８４）を挿通して、前記雌ネジに螺合するためのネジ挿通孔（８１）を有する特徴とする。
【００６１】
本発明においては、保持体の縦方向で固定部の前記長さが異なるように構成することで、容易に保持体の傾斜角度を所望の値に設定することができる。また、保持体の横方向で固定部の前記長さが異なるように構成することで、異なるスタンドを所望の位置に取り付けて、所望の保持体の傾斜角度を得ることができる。
【００６２】
本発明に係る表示装置は、前記固定部（７２）は、前記保持体に設けてあり、各固定部は、ピン（７２１）と、該ピンに周設した台座（７２２）とを有し、該台座の高さが少なくとも一部の固定部で異なり、前記取付具は、前記ピンを挿通して位置決めするピン挿通孔（８２）を有することを特徴とする。
【００６３】
本発明においては、前記台座の高さを変えることで、容易に前記長さを変えることができる。
【００６４】
本発明に係る表示装置は、前記固定部は、前記取付具に設けてあり、各固定部は、ネジ挿通孔（８１）と、該ネジ挿通孔に周設した台座（８１２）とを有し、該台座の高さが少なくとも一部の固定部で異なり、前記保持体に、前記ネジ挿通孔を挿通したネジ（８４）を捩じ込む雌ネジを設けてあることを特徴とする。
【００６５】
本発明においては、前記台座の高さを変えることで、容易に前記長さを変えることができる。
【００６６】
本発明に係る表示装置は、前記固定部は、前記取付具に設けてあり、各固定部は、ピン挿通孔（８２）と、該ピン挿通孔に周設した台座（８２２）とを有し、該台座の高さが一部の固定部で異なり、前記保持体に、前記ピン挿通孔を挿通したピン（７２１）を設けてあることを特徴とする。
【００６７】
本発明においては、前記台座の高さを変えることで、容易に前記長さを変えることができる。
【００６８】
本発明に係る表示装置（１）は、映像を表示する表示パネル（２１）を含む表示部（２）と、該表示部を保持する保持体（７）と、該保持体を支持するスタンド（６）と、該スタンドを前記保持体に取り付けるための取付具（８）とを備える表示装置において、前記保持体は箱状をなし、縦姿勢で配してあり、底面の一部を傾斜させてあることを特徴とする。
【００６９】
本発明においては、保持体の横方向で、保持体の底面の傾斜角度を変えることで、異なるスタンドを所望の位置に取り付けて、所望の保持体の傾斜角度を得ることができる。
【００７０】
本発明に係る表示装置（１）は、映像を表示する表示パネル（２１）を含む表示部（２）と、該表示部を保持する保持体（７）と、該保持体を支持するスタンド（６）と、該スタンドを前記保持体に取り付けるための取付具（８）とを備える表示装置において、前記スタンドは、足部（６２）と、足部から延出した支持軸（６１）とを備え、前記取付具は断面がコの字状をなし、前記支持軸の軸心方向に延び、該支持軸が挿通される挿通部（８７）を備え、該挿通部の側面視の幅が前記軸心方向で異なることを特徴とする。
【００７１】
本発明においては、前記挿通部の側面視の幅の変化の度合が異なる取付具を用い、スタンドを所望の位置に取り付けて、所望の保持体の傾斜角度を得ることができる。
【００７２】
本発明に係るテレビジョン受信機（１）は、上述のいずれかの表示装置と、テレビジョン放送を受信する受信部（１１）とを備え、前記受信部にて受信したテレビジョン放送に基づいて、前記表示装置に映像を表示するようにしてあることを特徴とする。
【００７３】
本発明においては、機種毎に所望の表示部の傾斜角度を容易に設定することができる。
【００７４】
本発明は上述した実施の形態の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
例えば前記実施の形態においては、本発明を液晶ＴＶ受信機に適用した場合につき説明しているが、これに限定するものではなく、本発明は有機ＥＬＴＶ受信機等の他のＴＶ受信機にも適用することができる。また、２つ以上の実施の形態の構成を組み合わせることもできる。
【符号の説明】
【００７５】
１  ＴＶ受信機
２  表示モジュール
２１  表示パネル
２２  バックライト
３  フロントキャビネット
４  リアキャビネット
６  スタンド
６１  支持軸
６２  足部
６３  雌ネジ
７  シャーシ
７１  ネジ止め部
７１１  孔
７１２、７２２  台座
７２  ピン止め部
７２１  ピン
８、８８  取付具
８０  当接板部
８１  ネジ挿通孔
８１２、８２２  台座
８２  ピン挿通孔
８４  ネジ
８６  ネジ挿通孔
８７  挿通部
１１  チューナ
【図１】
2015186603.tif 000003
【図２】
2015186603.tif 000004
【図３】
2015186603.tif 000005
【図４】
2015186603.tif 000006
【図５】
2015186603.tif 000007
【図６】
2015186603.tif 000008
【図７】
2015186603.tif 000009
【図８Ａ】
2015186603.tif 000010
【図８Ｂ】
2015186603.tif 000011
【図９】
2015186603.tif 000012
【図１０Ａ】
2015186603.tif 000013
【図１０Ｂ】
2015186603.tif 000014
【図１１】
2015186603.tif 000015
【図１２Ａ】
2015186603.tif 000016
【図１２Ｂ】
2015186603.tif 000017
【図１３】
2015186603.tif 000018
【図１４Ａ】
2015186603.tif 000019
【図１４Ｂ】
2015186603.tif 000020
【図１５】
2015186603.tif 000021
【図１６】
2015186603.tif 000022
【国際調査報告】
2015186603.tif 000023
2015186603.tif 000024